(57)【要約】      （修正有）【課題】切り取り動作はすべて横方向の一回の動作で済み、かつ、前頁の残存領域の見た目のバランスもよく、少なくとも１年間における将来月が存在する場合には当月分及び少なくとも１ヶ月分の将来月を含む３ヶ月分を一覧可能なカレンダーを提供する。【解決手段】カレンダーＣは、５頁一綴りの七曜表示のカレンダーであり、３ヶ月分を一覧表示することができる。カレンダーＣは、カレンダー用紙取付部材１００と、七曜表示の印刷が施された各カレンダー用紙１０〜５０からなる。カレンダー用紙取付部材１００は、厚紙などの平板状部材（ここでは横４２０ｍｍ×縦２５ｍｍ、厚み寸法略３ｍｍ）からなり、紙製であるので資源ごみ・燃やすごみとして環境に優しい。なお、材質はその他のものであってもよい。また、カレンダー用紙取付部材１００には、穴部１０１が設けられ、釘や画鋲などで壁に留めたり、紐を通して吊り下げたりすることができる構成となっている。【選択図】図４
0003187434.tif 000002
【実用新案登録請求の範囲】
【請求項１】
各頁には上下方向の上部略１／３の位置に切取線が設けられる５頁一綴りの七曜表示のカレンダーであって、
１頁目には、前記切取線よりも上方の領域に最初の月が表示され、
２頁目には、前記切取線よりも上方の領域に前頁の該領域に表示された月から３ヶ月後の月が表示され、かつ、前記切取線よりも下方の領域のうち上下方向の上部略１／２の領域には、前記最初の月の１ヶ月後の月が表示され、前記切取線よりも下方の領域のうち上下方向の下部略１／２の領域には、前記最初の月の２ヶ月後の月が表示され、
３頁目及び４頁目には、前記切取線よりも上方の領域に前頁の該領域に表示された月から３ヶ月後の月が表示され、かつ、前記切取線よりも下方の領域のうち上下方向の上部略１／２の領域には、前頁の該領域に表示された月から３ヶ月後の月が表示され、前記切取線よりも下方の領域のうち上下方向の下部略１／２の領域には、前頁の該領域に表示された月から３ヶ月後の月が表示され、
５頁目には、前記切取線よりも下方の領域のうち上下方向の上部略１／２の領域には、前頁の該領域に表示された月から３ヶ月後の月が表示され、前記切取線よりも下方の領域のうち上下方向の下部略１／２の領域には、前頁の該領域に表示された月から３ヶ月後の月が表示され、
自カレンダーの使用開始時には前記１頁目の前記切取線よりも下方の領域を前記切取線に沿って切り取り、
前記１頁目〜３頁目の前記上方の領域に表示される月が終了した時には、該上方の領域を自カレンダーから取り除き、前記２頁目〜４頁目の前記下部略１／２の領域に表示される月が終了した時には、該頁の前記切取線よりも下方の領域を前記切取線に沿って切り取ることで、
当月分と、１年間における将来月が存在する場合には少なくとも１ヶ月分の将来月を含む２ヶ月分との計３ヶ月分を一覧表示するカレンダー。
【請求項２】
各頁には上下方向の上部略１／３の位置に切取線が設けられる５頁一綴りの七曜表示のカレンダーであって、
１頁目には、前記切取線よりも上方の領域に最初の月が表示され、
２頁目には、前記切取線よりも上方の領域に前頁の該領域に表示された月から３ヶ月後の月が表示され、かつ、前記切取線よりも下方の領域のうち上下方向の上部略１／２の領域には、前記最初の月の１ヶ月後の月が表示され、前記切取線よりも下方の領域のうち上下方向の下部略１／２の領域には、前記最初の月の２ヶ月後の月が表示され、
３〜５頁目には、前記切取線よりも上方の領域に前頁の該領域に表示された月から３ヶ月後の月が表示され、かつ、前記切取線よりも下方の領域のうち上下方向の上部略１／２の領域には、前頁の該領域に表示された月から３ヶ月後の月が表示され、前記切取線よりも下方の領域のうち上下方向の下部略１／２の領域には、前頁の該領域に表示された月から３ヶ月後の月が表示され、
自カレンダーの使用開始時には前記１頁目の前記切取線よりも下方の領域を前記切取線に沿って切り取り、
前記１頁目〜４頁目の前記上方の領域に表示される月が終了した時には、該上方の領域を自カレンダーから取り除き、前記２頁目〜４頁目の前記下部略１／２の領域に表示される月が終了した時には、該頁の前記切取線よりも下方の領域を前記切取線に沿って切り取ることで、
当月分と、少なくとも１ヶ月分の将来月を含む２ヶ月分との計３ヶ月分を一覧表示するカレンダー。
【考案の詳細な説明】
【技術分野】
【０００１】
本考案は、３ヶ月分を一覧可能なカレンダーに関する。
【背景技術】
【０００２】
従来使用されているカレンダーには、１ヶ月毎に１枚で表示されるもの、又は２ヶ月毎に１枚に表示されるもの、さらに１年分の１２ヶ月が１枚で表示されるもの等があった。これらのカレンダーの基本的な使用方法は、表示されている当月が終了した時に１枚ずつ破いて破棄し、翌月を表示することである。
一般にカレンダーには先の予定・行事（スケジュール）や特記事項などが忘れないように記入され、このため多少の記入用余白が設けてあるカレンダーのほうが利用者の利便性が高く重宝されている。この点、１年分の１２ヶ月を１枚で表わしたカレンダーは大型の紙面を使用しているが、１２ヶ月分を表示しているため予定などを記入する余白はないことが多い。
また、複数枚一綴りのカレンダーの場合、１枚に当月分のみでなく、将来月（少なくとも翌月）の予定や行事を記入できるとさらに利用者の利便性が高まり好ましい。
一方、上記のとおりカレンダーは当月が終了した時に破棄するものであるから過去月（前月）に何があったかという過去の行事や行為については思い出せないことが多い。このため日にちを置いて繰返して行事や行為があり、これを予定としてカレンダーに記入する場合などには、過去月（前月）に記入した予定や行事をそのまま参照できることに一定の利便性が生ずる。
【０００３】
上記の事情から、１枚に３ヶ月分を表示するカレンダーが求められ、その関連技術として、最初の１枚に３ヶ月分を横方向（左から昇順）に一列に並べて印刷し、各月ごとに他の部分と切り離し可能な縦横方向のミシン線を利用して、終了した月（例えば１月）の該当部分を切り離すと、次の１枚の３ヶ月後の月（例えば４月）の部分が視認可能となり、常に３ヶ月分を一覧可能なカレンダーを提供する技術が開示されている（特許文献１参照）。
【先行技術文献】
【特許文献】
【０００４】
【特許文献１】実開平２−７１６６９号公報
【考案の概要】
【考案が解決しようとする課題】
【０００５】
しかしながら、上記の関連技術は、最初の１枚に３ヶ月分を横方向（左から昇順）に一列に並べて縦横方向のミシン線に沿って終了月部分を切り離す際に、左・中央の２ヶ月分は縦横２回の切り離し動作が必要となり煩雑であり、特に縦方向の切り離しは壁掛け状態等においては実施し難いという問題点があった。また、同一頁のうち横１／３や２／３が切り取られた状態は見た目の左右バランスが悪くデザイン性に劣るという問題点があった。
【０００６】
本考案の目的は、切り取り動作はすべて横方向の一回の動作で済み、かつ、前頁の残存領域の見た目のバランスもよく、少なくとも１年間における将来月が存在する場合には当月分及び少なくとも１ヶ月分の将来月を含む３ヶ月分を一覧可能なカレンダーを提供することにある。
【課題を解決するための手段】
【０００７】
本考案の第一のカレンダーは、各頁には上下方向の上部略１／３の位置に切取線が設けられる５頁一綴りの七曜表示のカレンダーであって、１頁目には、前記切取線よりも上方の領域に最初の月が表示され、２頁目には、前記切取線よりも上方の領域に前頁の該領域に表示された月から３ヶ月後の月が表示され、かつ、前記切取線よりも下方の領域のうち上下方向の上部略１／２の領域には、前記最初の月の１ヶ月後の月が表示され、前記切取線よりも下方の領域のうち上下方向の下部略１／２の領域には、前記最初の月の２ヶ月後の月が表示され、３頁目及び４頁目には、前記切取線よりも上方の領域に前頁の該領域に表示された月から３ヶ月後の月が表示され、かつ、前記切取線よりも下方の領域のうち上下方向の上部略１／２の領域には、前頁の該領域に表示された月から３ヶ月後の月が表示され、前記切取線よりも下方の領域のうち上下方向の下部略１／２の領域には、前頁の該領域に表示された月から３ヶ月後の月が表示され、５頁目には、前記切取線よりも下方の領域のうち上下方向の上部略１／２の領域には、前頁の該領域に表示された月から３ヶ月後の月が表示され、前記切取線よりも下方の領域のうち上下方向の下部略１／２の領域には、前頁の該領域に表示された月から３ヶ月後の月が表示され、自カレンダーの使用開始時には前記１頁目の前記切取線よりも下方の領域を前記切取線に沿って切り取り、前記１頁目〜３頁目の前記上方の領域に表示される月が終了した時には、該上方の領域を自カレンダーから取り除き、前記２頁目〜４頁目の前記下部略１／２の領域に表示される月が終了した時には、該頁の前記切取線よりも下方の領域を前記切取線に沿って切り取ることで、当月分と、１年間における将来月が存在する場合には少なくとも１ヶ月分の将来月を含む２ヶ月分との計３ヶ月分を一覧表示する。
このように構成することにより、当月分と少なくとも翌月分を含む３ヶ月分を縦方向に一列に並べてそれぞれ略同じ大きさ（面積）で一覧表示して、見易く表示するとともに、横一直線等で切り取り・取り除きができるので切り取り・取り除き動作が最小回数かつ小さな力で可能となり利用者の負担が軽減される。また、当月分の利用が可能となることはもちろん、少なくとも翌月分の将来月が表示される（１年間の将来月が存在する場合：例えば１２月の翌月は存在しない）ので翌月における予定などを記入することもできて利便性が向上する。さらに、１頁目に最初の月（例えば１月）・翌月（例えば２月）・翌々月（例えば３月）ではなく、最初の月（例えば１月）・表紙・表紙として、表紙部分を切り取った後に露出する領域の２頁目に翌月（例えば２月）・翌々月（例えば３月）を表示させることにより、１頁目のうち切り取られなかった残存領域の見た目の左右バランスが悪いという状態は回避され、高いデザイン性を実現することができる。
【０００８】
本考案の第二のカレンダーは、各頁には上下方向の上部略１／３の位置に切取線が設けられる５頁一綴りの七曜表示のカレンダーであって、１頁目には、前記切取線よりも上方の領域に最初の月が表示され、２頁目には、前記切取線よりも上方の領域に前頁の該領域に表示された月から３ヶ月後の月が表示され、かつ、前記切取線よりも下方の領域のうち上下方向の上部略１／２の領域には、前記最初の月の１ヶ月後の月が表示され、前記切取線よりも下方の領域のうち上下方向の下部略１／２の領域には、前記最初の月の２ヶ月後の月が表示され、３〜５頁目には、前記切取線よりも上方の領域に前頁の該領域に表示された月から３ヶ月後の月が表示され、かつ、前記切取線よりも下方の領域のうち上下方向の上部略１／２の領域には、前頁の該領域に表示された月から３ヶ月後の月が表示され、前記切取線よりも下方の領域のうち上下方向の下部略１／２の領域には、前頁の該領域に表示された月から３ヶ月後の月が表示され、自カレンダーの使用開始時には前記１頁目の前記切取線よりも下方の領域を前記切取線に沿って切り取り、前記１頁目〜４頁目の前記上方の領域に表示される月が終了した時には、該上方の領域を自カレンダーから取り除き、前記２頁目〜４頁目の前記下部略１／２の領域に表示される月が終了した時には、該頁の前記切取線よりも下方の領域を前記切取線に沿って切り取ることで、当月分と、少なくとも１ヶ月分の将来月を含む２ヶ月分との計３ヶ月分を一覧表示する。
このように構成することにより、当月分と少なくとも翌月分を含む３ヶ月分を縦方向に一列に並べてそれぞれ略同じ大きさ（面積）で一覧表示して、見易く表示するとともに、横一直線等で切り取り・取り除きができるので切り取り・取り除き動作が最小回数かつ小さな力で可能となり利用者の負担が軽減される。また、当月分の利用が可能となることはもちろん、少なくとも翌月分の将来月が表示される（例えば、１２月の翌月として翌年の１月が存在する）ので翌月における予定などを記入することもできて利便性が向上する。さらに、１頁目に最初の月（例えば１月）・翌月（例えば２月）・翌々月（例えば３月）ではなく、最初の月（例えば１月）・表紙・表紙として、表紙部分を切り取った後に露出する領域の２頁目に翌月（例えば２月）・翌々月（例えば３月）を表示させることにより、１頁目のうち切り取られなかった残存領域の見た目の左右バランスが悪いという状態は回避され、高いデザイン性を実現することができる。
【考案の効果】
【０００９】
本考案によれば、切り取り動作はすべて横方向の一回の動作で済み、かつ、前頁の残存領域の見た目のバランスもよく、少なくとも１年間における将来月が存在する場合には当月分及び少なくとも１ヶ月分の将来月を含む３ヶ月分を一覧可能なカレンダーを提供することができる。
【図面の簡単な説明】
【００１０】
【図１】本考案の実施の形態に係るカレンダーの正面図である。
【図２】本考案の実施の形態に係るカレンダーの各頁における切り取り方法を説明する図である。
【図３】本考案の実施の形態に係るカレンダーの各頁における取り除き方法を説明する図である。
【図４】本考案の実施の形態に係るカレンダーの斜視図である。
【考案を実施するための形態】
【００１１】
以下、本考案の一実施の形態を図面を参照しつつ説明する。本実施形態のカレンダーＣは、５頁一綴りの七曜表示のカレンダーであり、３ヶ月分を一覧表示することができる。本実施形態のカレンダーＣは、カレンダー用紙取付部材１００と、七曜表示の印刷が施された各カレンダー用紙１０〜５０からなる。
【００１２】
カレンダー用紙取付部材１００は、厚紙などの平板状部材（ここでは横４２０ｍｍ×縦２５ｍｍ、厚み寸法略３ｍｍ）からなり、紙製であるので資源ごみ・燃やすごみとして環境に優しい。なお、材質はその他のものであってもよい。
また、カレンダー用紙取付部材１００には、穴部１０１が設けられ、釘や画鋲などで壁に留めたり、紐を通して吊り下げたりすることができる構成となっている。なお、穴部の位置や形状・数は任意であり、種々の態様が適用可能である。さらに、穴部１０１はカレンダー用紙取付部材１００の上部に突設する部分に設けられることであってもよい。
【００１３】
カレンダー用紙取付部材１００に各カレンダー用紙１０〜５０が取り付けられている（図４も参照）。各カレンダー用紙１０〜５０のカレンダー用紙取付部材１００への取り付け方法は周知の手法が用いられてよく、例えば糊付けされている。
カレンダー用紙は、１頁目のカレンダー用紙１０と、２頁目のカレンダー用紙２０と、３頁目のカレンダー用紙３０と、４頁目のカレンダー用紙４０と、５頁目のカレンダー用紙５０とから構成されている。各頁は、略Ａ２サイズ（横４２０ｍｍ×縦５９４ｍｍ）の矩形であり、上下方向の上部略１／３の位置に横一線となるミシン目による切取線（図中では破線で表示。）が設けられる。なお、各頁の形状は、矩形に限らず、半円形やその他、任意の形状であってもよい。また、切取線は分離可能に形成されていればどのような態様でもよく、折込線・切込線や薄部・凹部・開口部などにより実現されてもよい。
【００１４】
１頁目のカレンダー用紙１０には、上記の切取線よりも上方の領域１１（ここでは横４２０ｍｍ×縦１８０ｍｍ）に最初の月である「１月」の日付が１月のタイトルと共に七曜表示され、さらに、各日付には先の予定・行事（スケジュール）や特記事項などを記入可能な程度の余白が設けられている。なお、最初の月は「１月」に限らず、「４月」や「９月」等であってもよい。
また、１頁目のカレンダー用紙１０には、上記の切取線よりも下方の領域１２（ここでは横４２０ｍｍ×縦３６０ｍｍ）に、表紙となるような文字や図形などがあらわされていてもよい。
なお、１頁目のカレンダー用紙１０には、領域１２のさらに下方にフッター領域（ここでは横４２０ｍｍ×縦４９ｍｍ）が設けられて所定の文字や図形などがあらわされることであってもよい。後述する、２〜５頁目のカレンダー用紙２０〜５０についても同様にフッター領域（ここでは横４２０ｍｍ×縦４９ｍｍ）が設けられてよい。
【００１５】
２頁目のカレンダー用紙２０には、上記の切取線よりも上方の領域２１（ここでは横４２０ｍｍ×縦１８０ｍｍ）に前頁（１頁目）の該領域（領域１１）に表示された月から３ヶ月後の月である「４月」の日付が４月のタイトルと共に七曜表示され、さらに、各日付には先の予定・行事（スケジュール）や特記事項などを記入可能な程度の余白が設けられている。
また、２頁目のカレンダー用紙２０には、上記の切取線よりも下方の領域２２（ここでは横４２０ｍｍ×縦３６０ｍｍ）のうち上下方向の上部略１／２の領域には、最初の月の１ヶ月後の月である「２月」の日付が２月のタイトルと共に七曜表示され、さらに、各日付には先の予定・行事（スケジュール）や特記事項などを記入可能な程度の余白が設けられている。さらに、領域２２のうち上下方向の下部略１／２の領域には、最初の月の２ヶ月後の月である「３月」の日付が３月のタイトルと共に七曜表示され、さらに、各日付には先の予定・行事（スケジュール）や特記事項などを記入可能な程度の余白が設けられている。が表示され、
【００１６】
３頁目のカレンダー用紙３０には、上記の切取線よりも上方の領域３１（ここでは横４２０ｍｍ×縦１８０ｍｍ）に前頁（２頁目）の該領域（領域２１）に表示された月から３ヶ月後の月である「７月」の日付が７月のタイトルと共に七曜表示され、さらに、各日付には先の予定・行事（スケジュール）や特記事項などを記入可能な程度の余白が設けられている。
また、３頁目のカレンダー用紙３０には、上記の切取線よりも下方の領域３２（ここでは横４２０ｍｍ×縦３６０ｍｍ）のうち上下方向の上部略１／２の領域には、前頁（２頁目）の該領域に表示された月から３ヶ月後の月である「５月」の日付が５月のタイトルと共に七曜表示され、さらに、各日付には先の予定・行事（スケジュール）や特記事項などを記入可能な程度の余白が設けられている。さらに、領域３２のうち上下方向の下部略１／２の領域には、前頁（２頁目）の該領域に表示された月から３ヶ月後の月である「６月」の日付が６月のタイトルと共に七曜表示され、さらに、各日付には先の予定・行事（スケジュール）や特記事項などを記入可能な程度の余白が設けられている。
【００１７】
４頁目のカレンダー用紙４０には、上記の切取線よりも上方の領域４１（ここでは横４２０ｍｍ×縦１８０ｍｍ）に前頁（３頁目）の該領域（領域３１）に表示された月から３ヶ月後の月である「１０月」の日付が１０月のタイトルと共に七曜表示され、さらに、各日付には先の予定・行事（スケジュール）や特記事項などを記入可能な程度の余白が設けられている。
また、４頁目のカレンダー用紙４０には、上記の切取線よりも下方の領域４２（ここでは横４２０ｍｍ×縦３６０ｍｍ）のうち上下方向の上部略１／２の領域には、前頁（３頁目）の該領域に表示された月から３ヶ月後の月である「８月」の日付が８月のタイトルと共に七曜表示され、さらに、各日付には先の予定・行事（スケジュール）や特記事項などを記入可能な程度の余白が設けられている。さらに、領域４２のうち上下方向の下部略１／２の領域には、前頁（３頁目）の該領域に表示された月から３ヶ月後の月である「９月」の日付が９月のタイトルと共に七曜表示され、さらに、各日付には先の予定・行事（スケジュール）や特記事項などを記入可能な程度の余白が設けられている。
【００１８】
５頁目のカレンダー用紙５０には、上記の切取線よりも上方の領域５１（ここでは横４２０ｍｍ×縦１８０ｍｍ）には、任意の表示がなされてよいが、例えば翌年の最初の月である「１月」の日付が１月のタイトルと共に七曜表示され、さらに、各日付には先の予定・行事（スケジュール）や特記事項などを記入可能な程度の余白が設けられていると利用者の利便性が高まる。
また、５頁目のカレンダー用紙５０には、上記の切取線よりも下方の領域５２（ここでは横４２０ｍｍ×縦３６０ｍｍ）のうち上下方向の上部略１／２の領域には、前頁（４頁目）の該領域に表示された月から３ヶ月後の月である「１１月」の日付が１１月のタイトルと共に七曜表示され、さらに、各日付には先の予定・行事（スケジュール）や特記事項などを記入可能な程度の余白が設けられている。さらに、領域５２のうち上下方向の下部略１／２の領域には、前頁（４頁目）の該領域に表示された月から３ヶ月後の月である「１２月」の日付が１２月のタイトルと共に七曜表示され、さらに、各日付には先の予定・行事（スケジュール）や特記事項などを記入可能な程度の余白が設けられている。
【００１９】
次に、上記のような構成の本実施形態のカレンダーＣの使用方法を図２及び図３も参照して説明する。
【００２０】
まず、カレンダーＣの使用開始時には１頁目のカレンダー用紙１０の上記の切取線よりも下方の領域１２を利用者は手指によって上記の切取線に沿って切り取る（図２参照）。これにより、２頁目のカレンダー用紙２０の上記の切取線よりも下方の領域２２が露出して視認可能となる。したがって、当月分「１月」と、将来月の翌月分「２月」と、将来月の翌々月分「３月」の計３ヶ月分を一覧表示することとなる。各日付には先の予定・行事（スケジュール）や特記事項などを記入可能な程度の余白が設けられている。
３ヶ月分であるが見易く表示するとともに、横一直線等で切り取りできるので切り取り・取り除き動作が最小回数かつ小さな力で可能となり利用者の負担が軽減される。また、当月分の利用が可能となることはもちろん、翌月分・翌々月分の将来月が表示されるので予定などを記入することもできて利便性が向上する。さらに、１頁目のカレンダー用紙１０うち切り取られなかった残存領域（領域１１）の見た目の左右バランスが悪いという状態は回避され、高いデザイン性を実現している。
【００２１】
次に、１頁目のカレンダー用紙１０の領域１１に表示される月である「１月」が終了した時には、該領域１１を利用者は手指によってカレンダーＣのカレンダー用紙取付部材１００から取り除く（図３参照）。なお、カレンダー用紙取付部材１００から取り除くための切取線などが別途設けられていてもよい。これにより、２頁目のカレンダー用紙２０の上記の切取線よりも上方の領域２１が露出して視認可能となる。したがって、当月分「２月」と、将来月の翌月分「３月」と、将来月の翌々月分「４月」の計３ヶ月分を一覧表示することとなる。各日付には先の予定・行事（スケジュール）や特記事項などを記入可能な程度の余白が設けられている。
ここでも、横一直線等で切り取りできるので切り取り・取り除き動作が最小回数かつ小さな力で可能となり利用者の負担が軽減される。
【００２２】
また、２頁目のカレンダー用紙２０の領域２２のうち上下方向の上部略１／２の領域に表示される月である「２月」が終了した時には、何もしない。それでも、当月分「３月」と、将来月の翌月分「４月」と、過去月の前月分「２月」の計３ヶ月分を一覧表示することとなる。
ここでも、当月分の利用が可能となることはもちろん、少なくとも翌月分の将来月が表示されるので予定などを記入することもできて利便性が向上する。
【００２３】
次に、２頁目のカレンダー用紙２０の領域２２のうち上下方向の下部略１／２の領域に表示される月である「３月」が終了した時には、２頁目のカレンダー用紙２０の領域２２を利用者は手指によって上記の切取線に沿って切り取る。これにより、３頁目のカレンダー用紙３０の上記の切取線よりも下方の領域３２が露出して視認可能となる。したがって、当月分「４月」と、将来月の翌月分「５月」と、将来月の翌々月分「６月」の計３ヶ月分を一覧表示することとなる。各日付には先の予定・行事（スケジュール）や特記事項などを記入可能な程度の余白が設けられている。
３ヶ月分であるが見易く表示するとともに、横一直線等で切り取りできるので切り取り・取り除き動作が最小回数かつ小さな力で可能となり利用者の負担が軽減される。また、当月分の利用が可能となることはもちろん、翌月分・翌々月分の将来月が表示されるので予定などを記入することもできて利便性が向上する。さらに、２頁目のカレンダー用紙２０うち切り取られなかった残存領域（領域２１）の見た目の左右バランスが悪いという状態は回避され、高いデザイン性を実現している。
【００２４】
次に、２頁目のカレンダー用紙２０の領域２１に表示される月である「４月」が終了した時には、該領域２１を利用者は手指によってカレンダーＣのカレンダー用紙取付部材１００から取り除く。なお、カレンダー用紙取付部材１００から取り除くための切取線などが別途設けられていてもよい。これにより、３頁目のカレンダー用紙３０の上記の切取線よりも上方の領域３１が露出して視認可能となる。したがって、当月分「５月」と、将来月の翌月分「６月」と、将来月の翌々月分「７月」の計３ヶ月分を一覧表示することとなる。各日付には先の予定・行事（スケジュール）や特記事項などを記入可能な程度の余白が設けられている。
ここでも、横一直線等で切り取りできるので切り取り・取り除き動作が最小回数かつ小さな力で可能となり利用者の負担が軽減される。
【００２５】
また、３頁目のカレンダー用紙３０の領域３２のうち上下方向の上部略１／２の領域に表示される月である「５月」が終了した時には、何もしない。それでも、当月分「６月」と、将来月の翌月分「７月」と、過去月の前月分「５月」の計３ヶ月分を一覧表示することとなる。
ここでも、当月分の利用が可能となることはもちろん、少なくとも翌月分の将来月が表示されるので予定などを記入することもできて利便性が向上する。
【００２６】
次に、３頁目のカレンダー用紙３０の領域３２のうち上下方向の下部略１／２の領域に表示される月である「６月」が終了した時には、３頁目のカレンダー用紙３０の領域３２を利用者は手指によって上記の切取線に沿って切り取る。これにより、４頁目のカレンダー用紙４０の上記の切取線よりも下方の領域４２が露出して視認可能となる。したがって、当月分「７月」と、将来月の翌月分「８月」と、将来月の翌々月分「９月」の計３ヶ月分を一覧表示することとなる。各日付には先の予定・行事（スケジュール）や特記事項などを記入可能な程度の余白が設けられている。
３ヶ月分であるが見易く表示するとともに、横一直線等で切り取りできるので切り取り・取り除き動作が最小回数かつ小さな力で可能となり利用者の負担が軽減される。また、当月分の利用が可能となることはもちろん、翌月分・翌々月分の将来月が表示されるので予定などを記入することもできて利便性が向上する。さらに、３頁目のカレンダー用紙３０うち切り取られなかった残存領域（領域３１）の見た目の左右バランスが悪いという状態は回避され、高いデザイン性を実現している。
【００２７】
次に、３頁目のカレンダー用紙３０の領域３１に表示される月である「７月」が終了した時には、該領域３１を利用者は手指によってカレンダーＣのカレンダー用紙取付部材１００から取り除く。なお、カレンダー用紙取付部材１００から取り除くための切取線などが別途設けられていてもよい。これにより、４頁目のカレンダー用紙４０の上記の切取線よりも上方の領域４１が露出して視認可能となる。したがって、当月分「８月」と、将来月の翌月分「９月」と、将来月の翌々月分「１０月」の計３ヶ月分を一覧表示することとなる。各日付には先の予定・行事（スケジュール）や特記事項などを記入可能な程度の余白が設けられている。
ここでも、横一直線等で切り取りできるので切り取り・取り除き動作が最小回数かつ小さな力で可能となり利用者の負担が軽減される。
【００２８】
また、４頁目のカレンダー用紙４０の領域４２のうち上下方向の上部略１／２の領域に表示される月である「８月」が終了した時には、何もしない。それでも、当月分「９月」と、将来月の翌月分「１０月」と、過去月の前月分「８月」の計３ヶ月分を一覧表示することとなる。
ここでも、当月分の利用が可能となることはもちろん、少なくとも翌月分の将来月が表示されるので予定などを記入することもできて利便性が向上する。
【００２９】
次に、４頁目のカレンダー用紙４０の領域４２のうち上下方向の下部略１／２の領域に表示される月である「９月」が終了した時には、４頁目のカレンダー用紙４０の領域４２を利用者は手指によって上記の切取線に沿って切り取る。これにより、５頁目のカレンダー用紙５０の上記の切取線よりも下方の領域５２が露出して視認可能となる。したがって、当月分「１０月」と、将来月の翌月分「１１月」と、将来月の翌々月分「１２月」の計３ヶ月分を一覧表示することとなる。各日付には先の予定・行事（スケジュール）や特記事項などを記入可能な程度の余白が設けられている。
３ヶ月分であるが見易く表示するとともに、横一直線等で切り取りできるので切り取り・取り除き動作が最小回数かつ小さな力で可能となり利用者の負担が軽減される。また、当月分の利用が可能となることはもちろん、翌月分・翌々月分の将来月が表示されるので予定などを記入することもできて利便性が向上する。さらに、４頁目のカレンダー用紙４０うち切り取られなかった残存領域（領域４１）の見た目の左右バランスが悪いという状態は回避され、高いデザイン性を実現している。
【００３０】
次に、４頁目のカレンダー用紙４０の領域４１に表示される月である「１０月」が終了した時には、何もしない。それでも、当月分「１１月」と、将来月の翌月分「１２月」と、過去月の前月分「１０月」の計３ヶ月分を一覧表示することとなる。
ここでも、当月分の利用が可能となることはもちろん、少なくとも翌月分の将来月が表示されるので予定などを記入することもできて利便性が向上する。
一方、４頁目のカレンダー用紙４０の領域４１に表示される月である「１０月」が終了した時には、該領域４１を利用者は手指によってカレンダーＣのカレンダー用紙取付部材１００から取り除くことであってもよい。なお、カレンダー用紙取付部材１００から取り除くための切取線などが別途設けられていてもよい。これにより、５頁目のカレンダー用紙５０の上記の切取線よりも上方の領域５１が露出して視認可能となる。したがって、領域５１に翌年の最初の月である「１月」の日付が１月のタイトルと共に七曜表示されている場合等には、当月分「１１月」と、将来月の翌月分「１２月」と、将来月の翌々月分「１月」の計３ヶ月分を一覧表示することとなる。各日付には先の予定・行事（スケジュール）や特記事項などを記入可能な程度の余白が設けられている。
ここでも、横一直線等で切り取りできるので切り取り・取り除き動作が最小回数かつ小さな力で可能となり利用者の負担が軽減される。
【００３１】
また、５頁目のカレンダー用紙５０の領域５２のうち上下方向の上部略１／２の領域に表示される月である「１１月」が終了した時には、何もしない。それでも、当月分「１２月」と、過去月の前月分「１１月」と、前々月分「１０月」の計３ヶ月分を一覧表示することとなる。なお、１年間における将来月が存在する場合には少なくとも翌月分の将来月を表示するが、「１２月」は１年間における将来月が存在しない場合に該当する。もちろん、上記の領域５１に翌年の最初の月である「１月」の日付が１月のタイトルと共に七曜表示されている場合等には、当月分「１２月」と、将来月の翌月分「１月」と、過去月の前月分「１１月」の計３ヶ月分を一覧表示することとなる。
【００３２】
その他、一々例示はしないが、本考案は、その趣旨を逸脱しない範囲内において、各構成部分の大きさや形状を含む種々の変更が加えられて実施されてよい。
【符号の説明】
【００３３】
Ｃ      カレンダー
１０、２０、３０、４０、５０    カレンダー用紙
１１、２１、１２、２２          領域
１００                          カレンダー用紙取付部材
１０１                          穴部
【図１】
0003187434.tif 000003
【図２】
0003187434.tif 000004
【図３】
0003187434.tif 000005
【図４】
0003187434.tif 000006
【手続補正書】
【提出日】平成25年10月1日(2013.10.1)
【手続補正１】
【補正対象書類名】図面
【補正対象項目名】図１
【補正方法】変更
【補正の内容】
【図１】
0003187434.tif 000007
【手続補正２】
【補正対象書類名】図面
【補正対象項目名】図４
【補正方法】変更
【補正の内容】
【図４】
0003187434.tif 000008